(57)【要約】【課題】本発明はペリスコープレンズモジュールとそれに適用されるプリズム装置を提供する。【解決手段】ペリスコープレンズモジュールに適用されるプリズム装置はキャリヤと、支持復帰ユニットと、プリズムと、複数の形状記憶合金線とを備え、キャリヤは横方向支持板、縦方向支持板と２つの側板を備え、縦方向支持板は横方向支持板から折り曲げて上方へ延在し、各形状記憶合金線は、支持復帰ユニットがプリズムを動かして第１回転中心軸周りに回動させるように駆動するように、夫々２つの側板から支持復帰ユニットとキャリヤを接続し、支持復帰ユニットがプリズムを動かして第２回転中心軸周りに回動させるように駆動するように、夫々横方向支持板及び縦方向支持板から支持復帰ユニット及びキャリヤを接続する。本発明は電磁式駆動の替わりに形状記憶合金線を採用することでコストを低減可能である。【選択図】図１
2021517983.tif 000002
【特許請求の範囲】
【請求項１】
ペリスコープレンズモジュールに適用されるプリズム装置であって、
キャリヤと、前記キャリヤに回動可能に取り付けられる支持復帰ユニットと、前記支持復帰ユニットに取り付けられ、前記支持復帰ユニットとともに回動可能であるプリズムと、前記キャリヤと前記支持復帰ユニットとの間に接続されて、前記支持復帰ユニット及び前記プリズムが前記キャリヤに対して回転するように駆動するための複数の形状記憶合金線と、を備え、
前記キャリヤは、横方向支持板と、縦方向支持板と、２つの側板とを備え、前記縦方向支持板は、前記横方向支持板の一端から折り曲げて上方へ延在し、前記２つの側板は、前記横方向支持板と前記縦方向支持板との互いに向い合う両側の縁部にそれぞれ突設され、且つ前記横方向支持板及び前記縦方向支持板とともに囲んでキャビティを形成し、前記複数の形状記憶合金線は、第１形状記憶合金線、第２形状記憶合金線、第３形状記憶合金線及び第４形状記憶合金線を含み、前記第１形状記憶合金線及び前記第２形状記憶合金線は、前記支持復帰ユニットが前記プリズムを動かして第１回転中心軸周りに回動させるように駆動するように、それぞれ前記２つの側板から前記支持復帰ユニット及び前記キャリヤを接続し、前記第３形状記憶合金線及び前記第４形状記憶合金線は、前記支持復帰ユニットが前記プリズムを動かして第２回転中心軸周りに回動させるように駆動するように、それぞれ前記横方向支持板及び前記縦方向支持板から前記支持復帰ユニット及び前記キャリヤを接続し、前記第１回転中心軸は、前記第２回転中心軸に直交することを特徴とするペリスコープレンズモジュールに適用されるプリズム装置。
【請求項２】
それぞれの前記形状記憶合金線は、Ｖ型状をなすように、その両端が前記支持復帰ユニットに固定され、その中央部が前記キャリヤに引っ掛けるように設けられていることを特徴とする請求項１に記載のペリスコープレンズモジュールに適用されるプリズム装置。
【請求項３】
前記キャリヤは、それぞれ前記２つの側板から延在して前記キャビティ内に突設される２つの第１位置決めロッドと、前記横方向支持板から延在して前記キャビティ内に突設される第２位置決めロッドと、前記縦方向支持板から延在して前記キャビティ内に突設される第３位置決めロッドとを更に備え、前記第１形状記憶合金線の中央部は、一方の前記第１位置決めロッドに引っ掛けるように設けられ、前記第２形状記憶合金線の中央部は、他方の前記第１位置決めロッドに引っ掛けるように設けられ、前記第３形状記憶合金線の中央部は、前記第２位置決めロッドに引っ掛けるように設けられ、前記第４形状記憶合金線の中央部は、前記第３位置決めロッドに引っ掛けるように設けられていることを特徴とする請求項２に記載のペリスコープレンズモジュールに適用されるプリズム装置。
【請求項４】
前記第１位置決めロッド、前記第２位置決めロッド及び前記第３位置決めロッドは、何れも段差ロッドであり、前記段差ロッドは、第１ロッド本体、第２ロッド本体及び第３ロッド本体を備え、前記第１ロッド本体は、前記キャリヤに接続され、前記第２ロッド本体は、前記第１ロッド本体と前記第３ロッド本体の間に設けられ、且つ前記第１ロッド本体の外径と前記第３ロッド本体の外径は、何れも前記第２ロッド本体の外径よりも大きく、各前記形状記憶合金線の中央部は、それぞれ各前記段差ロッドの前記第２ロッド本体に引っ掛けるように設けられていることを特徴とする請求項３に記載のペリスコープレンズモジュールに適用されるプリズム装置。
【請求項５】
前記キャリヤは、前記キャビティ内に突設される凸型ブロックを更に備え、前記支持復帰ユニットは、前記凸型ブロックに回動可能に接続され、前記第１形状記憶合金線、前記第２形状記憶合金線、前記第３形状記憶合金線および前記第４形状記憶合金線は、それぞれ間隔を空けて前記凸型ブロックの周囲に分布されていることを特徴とする請求項３に記載のペリスコープレンズモジュールに適用されるプリズム装置。
【請求項６】
前記ペリスコープレンズモジュールに適用されるプリズム装置は、ボールを更に備え、前記支持復帰ユニットは、前記ボールを介して前記凸型ブロックに回動自在に接続され、前記凸型ブロックの頂部は、前記横方向支持板と前記縦方向支持板との何れに対しても傾斜設置される傾斜面を有し、前記傾斜面には、前記ボールを収容して位置決めするための位置決め溝が凹設され、前記支持復帰ユニットの前記キャリヤへ向かう側には、前記ボールと係合するための球弧状溝が設けられていることを特徴とする請求項５に記載のペリスコープレンズモジュールに適用されるプリズム装置。
【請求項７】
前記ペリスコープレンズモジュールに適用されるプリズム装置は、磁性鋼を更に備え、前記凸型ブロックには、前記位置決め溝と前記凸型ブロックの底部との間に位置する取付溝が設けられ、前記磁性鋼は、前記取付溝内に収容して位置決めされることで前記ボール及び前記支持復帰ユニットを吸着して位置決めすることを特徴とする請求項６に記載のペリスコープレンズモジュールに適用されるプリズム装置。
【請求項８】
前記支持復帰ユニットは、前記キャリヤに回動可能に接続される形状記憶合金線支持スタンドと、前記形状記憶合金線支持スタンドと前記プリズムとの間に設けられて前記キャリヤに弾性的に接続される弾性支持部材とを備え、前記プリズムは、前記弾性支持部材に取り付けられ、前記第１形状記憶合金線、前記第２形状記憶合金線、前記第３形状記憶合金線および前記第４形状記憶合金線は、前記キャリヤと形状記憶合金線支持スタンドとの間にそれぞれ接続されていることを特徴とする請求項１から７の何れか一項に記載のペリスコープレンズモジュールに適用されるプリズム装置。
【請求項９】
前記弾性支持部材は、前記キャリヤに弾性的に接続される弾性ブラケットと、前記弾性ブラケットと前記形状記憶合金線支持スタンドとの間に設けられる保持スタンドと、前記弾性ブラケットの前記保持スタンドに背向する側に設けられるプリズム支持スタンドとを備え、前記プリズムは、前記プリズム支持スタンドに取り付けられ、及び／又は、
前記形状記憶合金線支持スタンドは、間隔を空けて設けられる２つの第１側縁と、間隔を空けて互いに向い合うように設けられつつ、それぞれ２つの前記第１側縁に垂直に接続される２つの第２側縁とを備え、前記第１形状記憶合金線は、一方の前記第１側縁と一方の前記側板との間に接続され、前記第２形状記憶合金線は、他方の前記第１側縁と他方の前記側板との間に接続され、前記第３形状記憶合金線は、一方の前記第２側縁と前記横方向支持板との間に接続され、前記第４形状記憶合金線は、他方の前記第２側縁と前記縦方向支持板との間に接続されていることを特徴とする請求項８に記載のペリスコープレンズモジュールに適用されるプリズム装置。
【請求項１０】
ペリスコープレンズモジュールであって、
フレームと、前記フレームの中央部に取り付けられるレンズ装置と、前記フレームの一端に取り付けられつつ、レンズ装置の像側に位置するイメージセンサと、請求項１から９の何れか一項に記載の、ペリスコープレンズモジュールに適用されるプリズム装置とを備え、
前記ペリスコープレンズモジュールに適用されるプリズム装置は、前記フレームの他端に取り付けられつつ、レンズ装置の物体側に位置することを特徴とするペリスコープレンズモジュール。
【発明の詳細な説明】
【技術分野】
【０００１】
本発明は、撮像機器分野に関し、特に、ペリスコープレンズモジュールに適用されるプリズム装置及び当該プリズム装置を備えるペリスコープレンズモジュールに関する。
【背景技術】
【０００２】
ペリスコープレンズモジュールは、本体内で光学ズームを実施するレンズモジュールである。ペリスコープレンズモジュールは、一般的に、レンズ装置と、プリズム装置と、イメージセンサとを含む。従来技術のペリスコープレンズモジュールでは、プリズム装置の光学防振(ＯＩＳ： ｏｐｔｉｃａｌ ｉｍａｇｅ ｓｔａｂｉｌｉｚａｔｉｏｎ)は、主に電磁式でプリズムの回動を駆動することで防振補償を図り、即ち、コイル及び磁石によってプリズム角度の調節を行う。この種の調節構造は、コストが高くて、量産に向いていない。
【０００３】
したがって、上記問題を解決するために、ペリスコープレンズモジュールに適用される新たなプリズム装置を提供する必要がある。
【発明の概要】
【発明が解決しようとする課題】
【０００４】
本発明の目的は、レンズモジュール内でプリズム角度を調節するときに低コストを有する、ペリスコープレンズモジュールに適用されるプリズム装置を提供することにある。
【課題を解決するための手段】
【０００５】
本発明は、下記の解決手段を講じる。
【０００６】
上記目的を果たすべく、本発明は、ペリスコープレンズモジュールに適用されるプリズム装置を提供する。当該ペリスコープレンズモジュールに適用されるプリズム装置は、キャリヤと、前記キャリヤに回動可能に取り付けられる支持復帰ユニットと、前記支持復帰ユニットに取り付けられ、前記支持復帰ユニットとともに回動可能であるプリズムと、前記キャリヤと前記支持復帰ユニットとの間に接続されて、前記支持復帰ユニット及び前記プリズムが前記キャリヤに対して回転するように駆動するための複数の形状記憶合金線と、を備え、前記キャリヤは、横方向支持板と、縦方向支持板と、２つの側板とを備え、前記縦方向支持板は、前記横方向支持板の一端から折り曲げて上方へ延在し、前記２つの側板は、前記横方向支持板と前記縦方向支持板との互いに向い合う両側の縁部にそれぞれ突設され、且つ前記横方向支持板及び前記縦方向支持板とともに囲んでキャビティを形成し、前記複数の形状記憶合金線は、第１形状記憶合金線、第２形状記憶合金線、第３形状記憶合金線及び第４形状記憶合金線を含み、前記第１形状記憶合金線及び前記第２形状記憶合金線は、前記支持復帰ユニットが前記プリズムを動かして第１回転中心軸周りに回動させるように駆動するように、それぞれ前記２つの側板から前記支持復帰ユニット及び前記キャリヤを接続し、前記第３形状記憶合金線及び前記第４形状記憶合金線は、前記支持復帰ユニットが前記プリズムを動かして第２回転中心軸周りに回動させるように駆動するように、それぞれ前記横方向支持板及び前記縦方向支持板から前記支持復帰ユニット及び前記キャリヤを接続し、前記第１回転中心軸は、前記第２回転中心軸に直交する。
【０００７】
改良の１つとして、それぞれの前記形状記憶合金線は、Ｖ型状をなすように、その両端が前記支持復帰ユニットに固定され、その中央部が前記キャリヤに引っ掛けるように設けられている。
【０００８】
改良の１つとして、前記キャリヤは、それぞれ前記２つの側板から延在して前記キャビティ内に突設される２つの第１位置決めロッドと、前記横方向支持板から延在して前記キャビティ内に突設される第２位置決めロッドと、前記縦方向支持板から延在して前記キャビティ内に突設される第３位置決めロッドとを更に備え、前記第１形状記憶合金線の中央部は、一方の前記第１位置決めロッドに引っ掛けるように設けられ、前記第２形状記憶合金線の中央部は、他方の前記第１位置決めロッドに引っ掛けるように設けられ、前記第３形状記憶合金線の中央部は、前記第２位置決めロッドに引っ掛けるように設けられ、前記第４形状記憶合金線の中央部は、前記第３位置決めロッドに引っ掛けるように設けられている。
【０００９】
改良の１つとして、前記第１位置決めロッド、前記第２位置決めロッド及び前記第３位置決めロッドは、何れも段差ロッドであり、前記段差ロッドは、第１ロッド本体、第２ロッド本体及び第３ロッド本体を備え、前記第１ロッド本体は、前記キャリヤに接続され、前記第２ロッド本体は、前記第１ロッド本体と前記第３ロッド本体の間に設けられ、且つ前記第１ロッド本体の外径と前記第３ロッド本体の外径は、何れも前記第２ロッド本体の外径よりも大きく、各前記形状記憶合金線の中央部は、それぞれ各前記段差ロッドの前記第２ロッド本体に引っ掛けるように設けられている。
【００１０】
改良の１つとして、前記キャリヤは、前記キャビティ内に突設される凸型ブロックを更に備え、前記支持復帰ユニットは、前記凸型ブロックに回動可能に接続され、前記第１形状記憶合金線、前記第２形状記憶合金線、前記第３形状記憶合金線および前記第４形状記憶合金線は、それぞれ間隔を空けて前記凸型ブロックの周囲に分布されている。
【００１１】
改良の１つとして、前記ペリスコープレンズモジュールに適用されるプリズム装置は、ボールを更に備え、前記支持復帰ユニットは、前記ボールを介して前記凸型ブロックに回動自在に接続され、前記凸型ブロックの頂部は、前記横方向支持板と前記縦方向支持板との何れに対しても傾斜設置される傾斜面を有し、前記傾斜面には、前記ボールを収容して位置決めするための位置決め溝が凹設され、前記支持復帰ユニットの前記キャリヤへ向かう側には、前記ボールと係合するための球弧状溝が設けられている。
【００１２】
改良の１つとして、前記ペリスコープレンズモジュールに適用されるプリズム装置は、磁性鋼を更に備え、前記凸型ブロックには、前記位置決め溝と前記凸型ブロックの底部との間に位置する取付溝が設けられ、前記磁性鋼は、前記取付溝内に収容して位置決めされることで前記ボール及び前記支持復帰ユニットを吸着して位置決めする。
【００１３】
改良の１つとして、前記支持復帰ユニットは、前記キャリヤに回動可能に接続される形状記憶合金線支持スタンドと、前記形状記憶合金線支持スタンドと前記プリズムとの間に設けられて前記キャリヤに弾性的に接続される弾性支持部材とを備え、前記プリズムは、前記弾性支持部材に取り付けられ、前記第１形状記憶合金線、前記第２形状記憶合金線、前記第３形状記憶合金線および前記第４形状記憶合金線は、前記キャリヤと形状記憶合金線支持スタンドとの間にそれぞれ接続されている。
【００１４】
改良の１つとして、前記弾性支持部材は、前記キャリヤに弾性的に接続される弾性ブラケットと、前記弾性ブラケットと前記形状記憶合金線支持スタンドとの間に設けられる保持スタンドと、前記弾性ブラケットの前記保持スタンドに背向する側に設けられるプリズム支持スタンドとを備え、前記プリズムは、前記プリズム支持スタンドに取り付けられ、及び／又は、
前記形状記憶合金線支持スタンドは、間隔を空けて設けられる２つの第１側縁と、間隔を空けて互いに向い合うように設けられつつ、それぞれ２つの前記第１側縁に垂直に接続される２つの第２側縁とを備え、前記第１形状記憶合金線は、一方の前記第１側縁と一方の前記側板との間に接続され、前記第２形状記憶合金線は、他方の前記第１側縁と他方の前記側板との間に接続され、前記第３形状記憶合金線は、一方の前記第２側縁と前記横方向支持板との間に接続され、前記第４形状記憶合金線は、他方の前記第２側縁と前記縦方向支持板との間に接続されている。
【００１５】
本発明は、ペリスコープレンズモジュールを更に提供する。当該ペリスコープレンズモジュールは、フレームと、前記フレームの中央部に取り付けられるレンズ装置と、前記フレームの一端に取り付けられつつ、レンズ装置の像側に位置するイメージセンサと、上述したペリスコープレンズモジュールに適用されるプリズム装置とを備え、前記ペリスコープレンズモジュールに適用されるプリズム装置は、前記フレームの他端に取り付けられつつ、レンズ装置の物体側に位置する。
【発明の効果】
【００１６】
本発明は、以下の有利な作用効果を有する。本発明では、複数の形状記憶合金線が支持復帰ユニットにおけるプリズムを駆動してキャリヤに対して回転させることで、プリズムが形状記憶合金線の駆動作用の下で角度を自動的に補正可能であり、ペリスコープレンズモジュールに適用されるプリズム装置のペリスコープレンズモジュールの結像角度がより広くなり、その結像効果がより良好になる。それとともに、ペリスコープレンズモジュールに適用されるプリズム装置は、既存の電磁式駆動の替わりに形状記憶合金線を採用することにより、ペリスコープレンズモジュールに適用されるプリズム装置の作製コストを更に低減し、ペリスコープレンズモジュールの量産を実現する。
【図面の簡単な説明】
【００１７】
【図１】本発明の実施例に係るペリスコープレンズモジュールに適用されるプリズム装置の斜視図である。
【図２】図１の爆発模式図である。
【図３】本発明の実施例に係るペリスコープレンズモジュールに適用されるプリズム装置の正面図である。
【図４】図３のＡ−Ａにおける断面図である。
【図５】本発明の実施例に係る形状記憶合金線支持スタンドの斜視図である。
【図６】本発明の実施例に係る弾性ブラケットの斜視図である。
【図７】本発明の実施例に係る段差ロッドがキャリヤ内に取り付けられる斜視図である。
【図８】図７のＢにおける構造拡大模式図である。
【図９】図８の爆発模式図である。
【図１０】本発明の実施例に係るペリスコープレンズモジュールに適用されるプリズム装置からプリズム及び弾性支持部材を除去した後の斜視図である。
【図１１】本発明の実施例に係るペリスコープレンズモジュールに適用されるプリズム装置からプリズム及びプリズム支持スタンドを除去した後の斜視図である。
【図１２】本発明の実施例に係るペリスコープレンズモジュールの斜視図である。
【発明を実施するための形態】
【００１８】
以下では、図面及び実施形態を組み合わせて本発明を更に説明する。
【００１９】
図１から図１１を参照すると、本発明の実施例は、ペリスコープレンズモジュールに適用されるプリズム装置１を提供する。ペリスコープレンズモジュールに適用されるプリズム装置１は、キャリヤ１０と、回動可能に取り付けられるキャリヤ１０における支持復帰ユニット２０と、支持復帰ユニット２０に取り付けられ、且つ支持復帰ユニット２０とともに回動可能であるプリズム３０と、キャリヤ１０と支持復帰ユニット２０との間に接続されて支持復帰ユニット２０及びプリズム３０がキャリヤ１０に対して回転するように駆動するための複数の形状記憶合金線４０とを備える。支持復帰ユニット２０に取り付けられるプリズム３０が形状記憶合金線４０の駆動作用の下で角度を自動的に補正可能である。こうして、当該ペリスコープレンズモジュールに適用されるプリズム装置１の結像効果は、より鮮明になる。
【００２０】
支持復帰ユニット２０は、キャリヤ１０に回動可能に接続される形状記憶合金線支持スタンド２１と、形状記憶合金線支持スタンド２１とプリズム３０との間に設けられてキャリヤ１０に弾性的に接続される弾性支持部材２２と、を備え、プリズム３０は、弾性支持部材２２に取り付けられ、複数の形状記憶合金線４０は、形状記憶合金線支持スタンド２１がキャリヤ１０に対して回転するように駆動するように、それぞれキャリヤ１０と形状記憶合金線支持スタンド２１との間に接続されている。形状記憶合金線支持スタンド２１の互いに向かい合う２つの側縁には、複数の位置制限アーム２１１がそれぞれ設けられ、キャリヤ１０の互いに向かい合う両側には、複数の位置制限溝１１が設けられ、複数の位置制限アーム２１１は、それぞれ一対一で複数の位置制限溝１１内に係止挿入されている。位置制限アーム２１１は、位置制限溝１１の底辺及び側辺に接触せず、周囲に一定の隙間を作ることにより、位置制限アーム２１１と位置制限溝１１とを隙間嵌めを形成させる。こうして、位置制限アーム２１１は、位置制限溝１１内において活動空間を有し、形状記憶合金線支持スタンド２１に間接に接続されるプリズム３０は、一定の範囲内でキャリヤ１０に対して回転可能であり、形状記憶合金線支持スタンド２１がキャリヤ１０から離脱することは回避され、それとともに、位置制限溝１１は、支持復帰ユニット２０に対して粗位置決めを行うことができる。
【００２１】
図２及び図６を参照すると、具体的に、弾性支持部材２２は、キャリヤ１０に弾性的に接続される弾性ブラケット２２１と、弾性ブラケット２２１と形状記憶合金線支持スタンド２１との間に設けられる保持スタンド２２２と、弾性ブラケット２２１の保持スタンド２２２に背向する側に設けられるプリズム支持スタンド２２３とを備え、弾性ブラケット２２１は、基板２２４と、基板２２４の外縁に設けられてキャリヤ１０に接続される複数の弾性アーム２２５とを備え、基板２２４は、保持スタンド２２２とプリズム支持スタンド２２３との間に介在され、プリズム３０は、プリズム支持スタンド２２３に取り付けられ、好ましくは、プリズム３０は、プリズム支持スタンド２２３に接着されている。
【００２２】
好ましくは、弾性アーム２２５は、基板２２４の外縁に固定される第１固定端部２２６と、キャリヤ１０と接続するための第２固定端部２２７と、第１固定端部２２６と第２固定端部２２７との間に折り曲げて接続される弾性湾曲部２２８とを備え、キャリヤ１０には、第２固定端部２２７を係止して位置決めするための係止溝１２が設けられ、弾性ブラケット２２１とキャリヤ１０との間は、弾性設置接続であり、無論、具体の応用において、弾性アーム２２５の構造は、これに限定されるものではない。
【００２３】
更に図７から図９を参照すると、本実施例において、キャリヤ１０は、キャビティ１３１を有する座体１３と、複数の位置制限蓋１４とを備え、座体１３の互いに向かい合う２つの側縁には、それぞれ複数の凹溝１３２が設けられ、複数の位置制限蓋１４は、それぞれ一対一で凹溝１３２に蓋設されつつ、凹溝１３２とともに囲んで上記位置制限溝１１を形成し、且つ各位置制限溝１１は、何れもキャビティ１３１へ向かって開放するように設けられるノッチ１１１を有し、位置制限アーム２１１は、ノッチ１１１内に係止挿入され、且つノッチ１１１内で活動することにより、位置制限アーム２１１と位置制限溝１１とは、上記隙間嵌めを形成する。
【００２４】
具体的に、位置制限蓋１４は、頂部位置制限板１４１と、頂部位置制限板１４１の一側に折り曲げて設けられる側部位置制限板１４２とを備える。頂部位置制限部は、凹溝１３２の頂部に封止され、側部位置制限板１４２は、凹溝１３２のキャビティ１３１から離間する側に封止されることで、前記位置制限溝１１を形成する。本実施例において、位置制限溝１１は、偶数本設けられ、偶数本の位置制限溝１１は、キャリヤ１０の互いに向かい合う両側に対称的に分布され、本実施例において、位置制限アーム２１１の数は、位置制限溝１１の数と同じであり、一対一の対応関係をなす。
【００２５】
好ましくは、座体１３は、横方向支持板１３３、縦方向支持板１３４および２つの側板１３５を備え、縦方向支持板１３４は、横方向支持板１３３の一端から折り曲げて上方へ延在し、２つの側板１３５は、横方向支持板１３３と縦方向支持板１３４との互いに向かい合う２つの側縁にそれぞれ突設され、且つ横方向支持板１３３、縦方向支持板１３４とともに囲んで前記キャビティ１３１を形成し、複数の凹溝１３２は、２つの側板１３５にそれぞれ凹設され、複数の位置制限蓋１４は、それぞれ一対一で各凹溝１３２に対応して両側板１３５に取り付けられて前記位置制限溝１１を形成する。
【００２６】
更に図２と図１０を参照すると、キャリヤ１０は、キャビティ１３１内に突設される凸型ブロック１５を更に備え、支持復帰ユニット２０は、凸型ブロック１５に回動可能に接続され、複数の形状記憶合金線４０は、それぞれ間隔を空けて凸型ブロック１５の周囲に分布され、複数の形状記憶合金線４０は、第１形状記憶合金線４１、第２形状記憶合金線４２、第３形状記憶合金線４３および第４形状記憶合金線４４を含み、形状記憶合金線支持スタンド２１は、間隔を空けて設けられる２つの第１側縁２１２と、間隔を空けて互いに向い合うように設けられつつ、それぞれが２つの第１側縁２１２に垂直に接続される２つの第２側縁２１３とを含み、複数の位置制限アーム２１１は、それぞれ２つの第１側縁２１２に設けられ、第１形状記憶合金線４１は、一方の第１側縁２１２と一方の側板１３５の間に接続され、第２形状記憶合金線４２は、他方の第１側縁２１２と他方の側板１３５の間に接続され、第３形状記憶合金線４３は、一方の第２側縁２１３と横方向支持板１３３の間に接続され、第４形状記憶合金線４４は、他方の第２側縁２１３と縦方向支持板１３４の間に接続されている。
【００２７】
本実施例では、凸型ブロック１５の頂部は、横方向支持板１３３と縦方向支持板１３４との何れに対しても傾斜設置される傾斜面１５１を有し、支持復帰ユニット２０は、当該傾斜面１５１を回動接続支点とし、第１形状記憶合金線４１及び第２形状記憶合金線４２は、駆動形状記憶合金線支持スタンド２１がプリズム３０を動かして第１回転中心軸周りに回動させるように駆動するように、それぞれ２つの第１側縁２１２から形状記憶合金線支持スタンド２１及びキャリヤ１０を接続し、第１回転中心軸は、傾斜面１５１の傾斜方向（図１では、点線Ｍで指す方向）である。第３形状記憶合金線４３及び第４形状記憶合金線４４は、形状記憶合金線支持スタンド２１がプリズム３０を動かして第２回転中心軸（図１では、Ｘ軸で指す方向）周りに回動させるように駆動するように、それぞれ２つの第２側縁２１３から形状記憶合金線支持スタンド２１及びキャリヤ１０を接続する。即ち、第３形状記憶合金線４３及び第４形状記憶合金線４４は、支持復帰ユニット２０がプリズム３０を動かして第２回転中心軸周りに回動させるように駆動するように、それぞれ横方向支持板１３３、縦方向支持板１３４から支持復帰ユニット２０及びキャリヤ１０を接続する。第１回転中心軸は、第２回転中心軸に直交する。
【００２８】
図４及び図９を参照すると、好ましくは、キャリヤ１０は、それぞれ２つの側板１３５から延在してキャビティ１３１内に突設される２つの第１位置決めロッド１６１と、横方向支持板１３３から延在してキャビティ１３１内に突設される第２位置決めロッド１６２と、縦方向支持板１３４から延在してキャビティ１３１内に突設される第３位置決めロッド１６３とを更に備え、形状記憶合金線支持スタンド２１は、凸型ブロック１５に回動自在に接続される主板体２１４と、主板体２１４の外縁に設けられて形状記憶合金線４０と接続するための複数の接続端子２３とを更に備え、複数の位置制限アーム２１１は、主板体２１４の外縁に設けられ、複数の接続端子２３は、間隔を空けて一方の第１側縁２１２に取り付けられる２つの第１接続端子２３１と、間隔を空けて他方の第１側縁２１２に取り付けられる２つの第２接続端子２３２と、間隔を空けて一方の第２側縁２１３に取り付けられる２つの第３接続端子２３３と、間隔を空けて他方の第２側縁２１３に取り付けられる２つの第４接続端子２３４とを備え、各接続端子２３は、何れも前記主板体２１４のキャビティ１３１から離間する側に傾斜突設されることにより、スタンド２２２と弾性ブラケット２２１とプリズム支持スタンド２２３とを収容保持するための容置溝を形成する。第１形状記憶合金線４１は、中央部が一方の第１位置決めロッド１６１に引っ掛けられるように設けられ、両端が何れも形状記憶合金線支持スタンド２１における第１接続端子２３１に固定され、第２形状記憶合金線４２は、中央部が他方の第１位置決めロッド１６１に引っ掛けられるように設けられ、両端が何れも形状記憶合金線支持スタンド２１における第２接続端子２３２に固定され、第３形状記憶合金線４３は、中央部が第２位置決めロッド１６２に引っ掛けられるように設けられ、両端が何れも形状記憶合金線支持スタンド２１における第３接続端子２３３に固定され、第４形状記憶合金線４４は、中央部が第３位置決めロッド１６３に引っ掛けられるように設けられ、両端が何れも形状記憶合金線支持スタンド２１における第４接続端子２３４に固定され、これにより、各形状記憶合金線４０は、何れも「Ｖ」型状をなす。
【００２９】
更に図８を参照すると、好ましくは、第１位置決めロッド１６１、第２位置決めロッド１６２、第３位置決めロッド１６３は、何れも段差ロッド１６であり、段差ロッド１６は、第１ロッド本体１６４、第２ロッド本体１６５及び第３ロッド本体１６６を備え、第１ロッド本体１６４は、キャリヤ１０に接続され、第２ロッド本体１６５は、第１ロッド本体１６４と第３ロッド本体１６６との間に設けられ、且つ第１ロッド本体１６４の外径及び第３ロッド本体１６６の外径は、何れも第２ロッド本体１６５の外径よりも大きく、各形状記憶合金線４０の中央部は、それぞれ各段差ロッド１６の第２ロッド本体１６５に引っ掛けられるように設けられて揺れ中に形状記憶合金線４０が脱落しないことを保証させ、それとともに、段差ロッド１６は、直接座体１３に一体成形されてもよく、何れか一種の従来の組み立て方式によって座体１３に組み立てられてもよい。本実施例における段差ロッド１６は、座体１３に取り付けられている。これにより、キャリヤ１０の構造が簡素化され、キャリヤ１０の作製コストも低減可能である。
【００３０】
ペリスコープレンズモジュールに適用されるプリズム装置１は、ボール５０を更に備え、形状記憶合金線支持スタンド２１は、ボール５０を介してキャリヤ１０に回動自在に接続され、傾斜面１５１には、ボール５０を収容して位置決めするための位置決め溝１５２が凹設され、位置決め溝１５２は、凸型ブロック１５の形状記憶合金線支持スタンド２１へ向かう表面に凹設され、形状記憶合金線支持スタンド２１のキャリヤ１０へ向かう側には、ボール５０と係合するための球弧状溝２１５が設けられ、支持復帰ユニット２０は、当該ボール５０を回動接続支点として凸型ブロック１５周りに回動する。
【００３１】
好ましくは、ペリスコープレンズモジュールに適用されるプリズム装置１は、磁性鋼６０を更に備え、凸型ブロック１５には、位置決め溝１５２と凸型ブロック１５の底部との間に位置する取付溝１５３が設けられ、支持復帰ユニット２０の最頂端の、プリズム３０を固定するためのプリズム支持スタンド２２３は、金属材であり、磁性鋼６０は、取付溝１５３内に収容して位置決めされることでボール５０及びプリズム支持スタンド２２３を吸着して位置決めする。これにより、支持復帰ユニット２０とボール５０とに対する取付固定は、形成される。
【００３２】
本実施例において、主板体２１４のプリズム３０へ向かう側には、球弧状ボス２１６が更に突設され、球弧状溝２１５は、主板体２１４のキャリヤ１０へ向かう側から、球弧状ボス２１６に凹設されて延在し、保持スタンド２２２には、球弧状ボス２１６を退避させるための第１逃げ孔２２９が設けられ、弾性ブラケット２２１には、球弧状ボス２１６を退避させるための第２逃げ孔２３０が設けられている。こうして、保持スタンド２２２及び弾性ブラケット２２１は、形状記憶合金線支持スタンド２１に粗位置決め可能であり、プリズム支持スタンド２２３に穴がないようにし、プリズム３０の結像へ干渉することは、回避される。
【００３３】
本発明のペリスコープレンズモジュールに適用されるプリズム装置１では、複数の形状記憶合金線４０を利用して支持復帰ユニット２０におけるプリズム３０を駆動してキャリヤ１０内で第１回転中心軸周りに回動させ得、または第２回転中心軸周りに回動させ得ることにより、プリズム３０は、形状記憶合金線４０の駆動作用の下で角度を自動的に補正可能であり、ペリスコープレンズモジュールに適用されるプリズム装置１の結像角度がより広くなり、その結像効果がより良好になる。形状記憶合金線４０は、記憶効果を生じさせて駆動力を発生させるように、プログラムにより指令を出させてもよい。
【００３４】
具体的に操作する際、図１に示すように、第１形状記憶合金線４１が通電されて発熱して短くなると、支持復帰ユニット２０が斜め下方への引っ張り力を受け、これにより、支持復帰ユニット２０がボール５０を支点として点線Ｍで指された方向を回転軸として１方向周りに回動し、第２形状記憶合金線４２が通電されて発熱して短くなると、プリズム３０が固定座に対して点線Ｍで指された方向を回転軸として別の反対する方向周りに回動し、第３形状記憶合金線４３が通電されて発熱して短くなると、プリズム３０が固定座に対してＸ軸で指された方向を回転軸として１方向周りに回動可能であり、第４形状記憶合金線４４が通電されて発熱して短くなると、プリズム３０が固定座に対してＸ軸で指された方向を回転軸として別の反対する方向周りに回動可能である。本発明の形状記憶合金線４０は、ＳＭＡ線と別称されてもよいが、ここでは詳述しない。
【００３５】
図１２を参照すると、本発明は、ペリスコープレンズモジュールをさらに提供する。当該ペリスコープレンズモジュールは、フレーム７０と、レンズ装置８０と、イメージセンサ９０と、上述したペリスコープレンズモジュールに適用されるプリズム装置１とを備える。レンズ装置８０は、フレーム７０の中央部に取り付けられ、イメージセンサ９０は、フレーム７０の一端に取り付けられ、且つつレンズ装置８０の像側に位置し、ペリスコープレンズモジュールに適用されるプリズム装置１は、前記フレーム７０の他端に取り付けられ、且つつレンズ装置８０の物体側に位置する。光線がペリスコープレンズモジュールに適用されるプリズム装置１で反射された後、レンズ装置８０の軸線方向に沿って直線的にイメージセンサ９０に到達して、結像を行う。図１２において、点線は、光線の伝達方向である。ペリスコープレンズモジュールは、撮像機能付き電子機器に適用することができ、好ましくは、当該撮像機能付き電子機器は、携帯電話またはカメラである。
【００３６】
上述したのは、単に本発明の実施形態である。当業者にとって、本発明の創造的構想を逸脱しない前提で、種々の改良も行ってもよいが、これらは、いずれも本発明の保護範囲に含まれると理解されるべきである。
【符号の説明】
【００３７】
１  ペリスコープレンズモジュールに適用されるプリズム装置
１０  キャリヤ
１１  位置制限溝
１１１  ノッチ
１２  係止溝
１３  座体
１３１  キャビティ
１３２  凹溝
１３３  横方向支持板
１３４  縦方向支持板
１３５  側板
１４  位置制限蓋
１４１  頂部位置制限板
１４２  側部位置制限板
１５  凸型ブロック
１５１  傾斜面
１５２  位置決め溝
１５３  取付溝
１６  段差ロッド
１６１  第１位置決めロッド
１６２  第２位置決めロッド
１６３  第３位置決めロッド
１６４  第１ロッド本体
１６５  第２ロッド本体
１６６  第３ロッド本体
２０  支持復帰ユニット
２１  形状記憶合金線支持スタンド
２１１  位置制限アーム
２１２  第１側縁
２１３  第２側縁
２１４  主板体
２１５  球弧状溝
２１６  球弧状ボス
２２  弾性支持部材
２２１  弾性ブラケット
２２２  保持スタンド
２２３  プリズム支持スタンド
２２４  基板
２２５  弾性アーム
２２６  第１固定端部
２２７  第２固定端部
２２８  弾性湾曲部
２２９  第１逃げ孔
２３０  第２逃げ孔
２３  接続端子
２３１  第１接続端子
２３２  第２接続端子
２３３  第３接続端子
２３４  第４接続端子
３０  プリズム
４０  形状記憶合金線
４１  第１形状記憶合金線
４２  第２形状記憶合金線
４３  第３形状記憶合金線
４４  第４形状記憶合金線
５０  ボール
６０  磁性鋼
７０  フレーム
８０  レンズ装置
９０  イメージセンサ
【図１】
2021517983.tif 000003
【図２】
2021517983.tif 000004
【図３】
2021517983.tif 000005
【図４】
2021517983.tif 000006
【図５】
2021517983.tif 000007
【図６】
2021517983.tif 000008
【図７】
2021517983.tif 000009
【図８】
2021517983.tif 000010
【図９】
2021517983.tif 000011
【図１０】
2021517983.tif 000012
【図１１】
2021517983.tif 000013
【図１２】
2021517983.tif 000014
【国際調査報告】
2021517983.tif 000015
2021517983.tif 000016
2021517983.tif 000017
2021517983.tif 000018
2021517983.tif 000019